(57)【要約】【課題】従来の蒸気循環の方法において、蒸気を水に液化する過程で、エネルギー損失が生じていた点を改善すること。【解決手段】出力を生成するシステムは、循環スパイラルパイプボイラーと、システム内で上記を循環させるポンプとから構成される。スパイラルパイプボイラーは、上にボール状の面を有する部分（１８）と、下に面部を有する部分（１７）、下部部分に加熱要素（１６）、下部部分に吸入口を備え、上部の表面部分の上部サークル（５）で終端するスパイラルチューブ（１５）からなる。ポンプは吸入口（７）と出力口（６）との間で蒸気を循環させる。【選択図】図１
2010515873.tif 000002
【特許請求の範囲】
【請求項１】
循環スパイラルパイプボイラーであって、
１．該ボイラーは、上部と下部にそれぞれ設けられる容器と、上方に向かって螺旋状をなす循環するパイプと、加熱要素とから構成され、
２．該加熱要素は、下部容器の底部に配設され、
３．連続する該パイプは、該加熱要素上の下端サークルと接続し、底部から該容器の内周面に沿って上部容器まで螺旋状に上方に向かって配設され、該上部容器は太陽光を反射するよう磨かれたボウル形を成しており、
４．該パイプ上部は、上部容器の状態に設けられた上端パイプサークルで終端する配管がされ、
５．螺旋状の該パイプは、上端パイプサークルと上部部分に蒸気だけの部分を残して、残りの部分は水で満たされ、
６．蒸気又はパイプの温度が沸点まで低下した場合には底部の該加熱要素が作動される一方、所定の上限温度となると停止されて、蒸気が沸点以上となるように調整され、
７．上端パイプサークルには蒸気の出口及び受入口が設けられ、
８．該出口から、蒸気は蒸気タービンブレードを回転させるため接続パイプを通って誘導され、
９．該出口及び受入口は、蒸気促進器との接続も可能に設けられる
ことを特徴とする循環スパイラルパイプボイラー。
【請求項２】
蒸気促進器であって、
１．該蒸気促進器は、パイプサークルにおいて蒸気が循環を保つために、蒸気の入った蒸気パイプサークルと、勢いのある余剰の空気又は水が入ったパイプサークルとの間に配設され、
２．２つのサックを備えて、各サックは吸入口と流出口の２つの端部を備え、該サックは内層と外層をゴムで被覆されたシルク製又は他の素材で形成することができ、
３．一方のサックは蒸気パイプサークルからの吸入パイプと、蒸気パイプサークルへの流出パイプとを介して蒸気パイプサークルと接続され、
４．該吸入パイプにはゴムのホース部分を設け、該ホース部分の内側に電磁石リングが密着固定され、該電磁石リングの反対側には、該ホースの内周上に設けたスプリングに固定された金属球を備え、
５．他方のサックは、パイプサークルからの吸入パイプ、およびパイプサークルへの流出パイプによって、勢いのある余剰の空気または水が入ったパイプサークルに接続され、
６．該流出パイプにはゴムのホース部分を設け、該ホース部分の内側にも電磁石リングが密着固定され、該電磁石リングの反対側には、該ホースの内周上に設けたスプリングに固定された金属球を備え、
７．該サックそれぞれの寸法は、蒸気促進器の封入される容器の約四分の三であって、
８．両方の該電磁石リングの電源が切られているとき、蒸気膨張圧は蒸気のサックを充填し、および空気または水のサックを圧縮する一方、
９．両方の該電磁石リングの電源が入っているとき、該金属球は両方とも該電磁石リングに引きつけられており、該流出パイプを通る空気または水の通路と共に、該吸入パイプからの蒸気の通路をブロックし、空気または水のサックは直ちに空気または水でいっぱいに充填され、蒸気のサックを圧縮するため膨張され、蒸気パイプサークルの中に蒸気を押し出し、
１０．以上の構成において、パイプサークル内部で一方向に蒸気を継続的に押し出すため、両方の電磁石リングの電源を継続的に入り切りし、
１１．該蒸気タービンを通り、その後、該蒸気パイプサークルに戻る蒸気の流出方向はまた、循環の方向と同じであって、
１２．この系における空気または水も、継続的に電源を入れたり切ったりすることにより加勢され、こうして加勢された空気または水は解放される前、又は他の空気又は水のパイプサークルに向かう前のいずれかに解放出口を通って他のタービンを回転させ、
１３．空気または水の該パイプサークル、該蒸気促進器、および該ボイラーの蒸気パイプサークルは、パイプサークルそれぞれが列の両端のどちらかのサークルを除いて、二つの蒸気促進器を両側に有するように一列に配置可能であり、該蒸気促進器の吸入および流出の方向は、列の中で一つおきに反転する
ことを特徴とする蒸気促進器。
【請求項３】
出力強化器であって、
１．他の電磁石リング一式および金属球を他の斜め方向位置に追加することによって蒸気促進器を出力強化器に転換したものであって、
２．１組のリングのための電力が入れられると同時に他の組の電力は切られ、逆もまた同様であって、同種または別の自然の出力源を含む二つのサックは、パイプサークルに含有される空気、水、液体、蒸気、あるいはガスを交互に互いに圧縮および押し出し、
３．加勢された出力はその後、解放される前に解放パイプを通って回転タービンへ送られ、
４．余剰出力はその強さが弱くなりすぎない限り、出力強化器の他のパイプサークルに直接入ることにより再利用可能であって、
５．出力強化器およびパイプサークルは次々に接続されることが可能であって、パイプサークルに隣接して出力強化器を、出力強化器に隣接してパイプサークルを、と続き、
６．パイプサークルそれぞれは、両側で二つの出力強化器に接続され、パイプサークルに含まれる同種の自然の出力が一方向に押し出され、
７．出力強化器の吸入および流出の方向は、各パイプサークル内部の一方向の循環が可能になるよう、一つおきに反転される必要があり、
８．ボイラーのある蒸気促進器および出力強化器は、全体の出力レベルを強化するため、複数の出力源を使用する装置の中に組み込まれる
ことを特徴とする出力強化器。
【発明の詳細な説明】
【技術分野】
【０００１】
本発明は、循環内の蒸気の継続的な出力源、および出力の強化を行う装置に関する。
【背景技術】
【０００２】
従来の蒸気循環の方法において、蒸気を水に液化する過程で、エネルギー損失が生じていた。
【発明の概要】
【発明が解決しようとする課題】
【０００３】
本発明は従来の蒸気循環の方法において、蒸気を水に液化する過程で、エネルギー損失が生じていた点を改善することを目的とする。
【課題を解決するための手段】
【０００４】
上記従来技術の問題点を解決するため、本発明は次の手段を用いる。
まず、循環スパイラルパイプボイラーであって、
１．該ボイラーは、上部と下部にそれぞれ設けられる容器と、上方に向かって螺旋状をなす循環するパイプと、加熱要素とから構成され、
２．該加熱要素は、下部容器の底部に配設され、
３．連続する該パイプは、該加熱要素上の下端サークルと接続し、底部から該容器の内周面に沿って上部容器まで螺旋状に上方に向かって配設され、該上部容器は太陽光を反射するよう磨かれたボウル形を成しており、
４．該パイプ上部は、上部容器の状態に設けられた上端パイプサークルで終端する配管がされ、
５．螺旋状の該パイプは、上端パイプサークルと上部部分に蒸気だけの部分を残して、残りの部分は水で満たされ、
６．蒸気又はパイプの温度が沸点まで低下した場合には底部の該加熱要素が作動される一方、所定の上限温度となると停止されて、蒸気が沸点以上となるように調整され、
７．上端パイプサークルには蒸気の出口及び受入口が設けられ、
８．該出口から、蒸気は蒸気タービンブレードを回転させるため接続パイプを通って誘導され、
９．該出口及び受入口は、蒸気促進器との接続も可能に設けられる
ことを特徴とする循環スパイラルパイプボイラーを提供する。
【０００５】
また、次のような蒸気促進器を提供することもできる。
１．該蒸気促進器は、パイプサークルにおいて蒸気が循環を保つために、蒸気の入った蒸気パイプサークルと、勢いのある余剰の空気又は水が入ったパイプサークルとの間に配設され、
２．２つのサックを備えて、各サックは吸入口と流出口の２つの端部を備え、該サックは内層と外層をゴムで被覆されたシルク製又は他の素材で形成することができ、
３．一方のサックは蒸気パイプサークルからの吸入パイプと、蒸気パイプサークルへの流出パイプとを介して蒸気パイプサークルと接続され、
４．該吸入パイプにはゴムのホース部分を設け、該ホース部分の内側に電磁石リングが密着固定され、該電磁石リングの反対側には、該ホースの内周上に設けたスプリングに固定された金属球を備え、
５．他方のサックは、パイプサークルからの吸入パイプ、およびパイプサークルへの流出パイプによって、勢いのある余剰の空気または水が入ったパイプサークルに接続され、
６．該流出パイプにはゴムのホース部分を設け、該ホース部分の内側にも電磁石リングが密着固定され、該電磁石リングの反対側には、該ホースの内周上に設けたスプリングに固定された金属球を備え、
７．該サックそれぞれの寸法は、蒸気促進器の封入される容器の約四分の三であって、
８．両方の該電磁石リングの電源が切られているとき、蒸気膨張圧は蒸気のサックを充填し、および空気または水のサックを圧縮する一方、
９．両方の該電磁石リングの電源が入っているとき、該金属球は両方とも該電磁石リングに引きつけられており、該流出パイプを通る空気または水の通路と共に、該吸入パイプからの蒸気の通路をブロックし、空気または水のサックは直ちに空気または水でいっぱいに充填され、蒸気のサックを圧縮するため膨張され、蒸気パイプサークルの中に蒸気を押し出し、
１０．以上の構成において、パイプサークル内部で一方向に蒸気を継続的に押し出すため、両方の電磁石リングの電源を継続的に入り切りし、
１１．該蒸気タービンを通り、その後、該蒸気パイプサークルに戻る蒸気の流出方向はまた、循環の方向と同じであって、
１２．この系における空気または水も、継続的に電源を入れたり切ったりすることにより加勢され、こうして加勢された空気または水は解放される前、又は他の空気又は水のパイプサークルに向かう前のいずれかに解放出口を通って他のタービンを回転させ、
１３．空気または水の該パイプサークル、該蒸気促進器、および該ボイラーの蒸気パイプサークルは、パイプサークルそれぞれが列の両端のどちらかのサークルを除いて、二つの蒸気促進器を両側に有するように一列に配置可能であり、該蒸気促進器の吸入および流出の方向は、列の中で一つおきに反転する
ことを特徴とする。
【０００６】
さらに、次のような出力強化器を提供することもできる。
１．他の電磁石リング一式および金属球を他の斜め方向位置に追加することによって蒸気促進器を出力強化器に転換したものであって、
２．１組のリングのための電力が入れられると同時に他の組の電力は切られ、逆もまた同様であって、同種または別の自然の出力源を含む二つのサックは、パイプサークルに含有される空気、水、液体、蒸気、あるいはガスを交互に互いに圧縮および押し出し、
３．加勢された出力はその後、解放される前に解放パイプを通って回転タービンへ送られ、
４．余剰出力はその強さが弱くなりすぎない限り、出力強化器の他のパイプサークルに直接入ることにより再利用可能であって、
５．出力強化器およびパイプサークルは次々に接続されることが可能であって、パイプサークルに隣接して出力強化器を、出力強化器に隣接してパイプサークルを、と続き、
６．パイプサークルそれぞれは、両側で二つの出力強化器に接続され、パイプサークルに含まれる同種の自然の出力が一方向に押し出され、
７．出力強化器の吸入および流出の方向は、各パイプサークル内部の一方向の循環が可能になるよう、一つおきに反転される必要があり、
８．ボイラーのある蒸気促進器および出力強化器は、全体の出力レベルを強化するため、複数の出力源を使用する装置の中に組み込まれる
ことを特徴とする。
【発明の効果】
【０００７】
本発明の各装置によれば、蒸気を水に液化する過程で、エネルギー損失が生じていた点を改善することができる。
【図面の簡単な説明】
【０００８】
本発明の実施例を示す図では、二つの基本的な部分が装置に関連する。
【図１】本発明に係る循環スパイラルパイプボイラーを示す。
【図２】蒸気促進器と名付けられる特殊装置を示す。
【図３】出力強化器を示す。
【０００９】
図１のボイラーは、加熱要素１６を下部容器１７の底部に有する。容器の内表周辺の底部からの連続パイプは、太陽光を反射するよう磨かれたボウル形の上部容器１８までらせん状に上昇する。上昇パイプは、ボイラー容器の上縁のサークル５で終了する。
【００１０】
スパイラルパイプは、上部１４を残して水１５で部分的に充填され、上部サークルは蒸気のみである。
【００１１】
蒸気は沸点より高く調節される。蒸気またはパイプの温度が沸点まで下がると、底部の加熱要素の電源が入り、およびその後既定の温度の上限で電源が切られる。
【００１２】
上部パイプサークルに蒸気の出口または受入口１９がある。蒸気サークルは複数の蒸気促進器および複数の蒸気タービンに接続される。蒸気出口から、蒸気は蒸気タービンブレードを回転させるため接続パイプを通って誘導され、蒸気入口および出口の二つの端によって固く封入され、およびその後、蒸気受入口を通って蒸気サークルの中に戻る。
【００１３】
蒸気サークルの中で蒸気循環を保つために、蒸気パイプサークル５と余剰の空気または水のエネルギーのパイプサークル９の間に、図２の蒸気促進器が空気または水のタービンの回転後および開放前に、取り付けられる。
【００１４】
蒸気促進器は二つのサックを含む。サックはそれぞれ、吸入と流出の二つの端を有する。
【００１５】
一方のサック４は、蒸気サークルからの吸入パイプ６、および蒸気サークルへの流出パイプ７によって、蒸気パイプサークルに接続される。吸入パイプ６にはゴムホース部分１がある。電磁石リング２がホース部分の内部に固定される。およびリングに相対して、金属球３がホース内部周辺に固定されるスプリングに固定される。リングの内径は、ゴムホースの内径よりも小さい球よりやや小さい。
【００１６】
他のサック８は、サークルからの吸入パイプ１０、およびサークルへの流出パイプ１１によって、余剰の空気または水のエネルギーのパイプサークル９に接続される。流出パイプにはゴムホース部分１がある。ゴムホース部分内部にはまた、電磁石リング２、およびスプリングのある金属球３がある。
【００１７】
サックそれぞれの寸法は、蒸気促進器の封入される容器１３の約四分の三である。
【００１８】
両方の電磁石リングの電源が切られているとき、蒸気膨張圧は蒸気のサックを充填し、および空気または水のサックを圧縮している。
【００１９】
両方の電磁石リングの電源が入っているとき、金属球は両方とも電磁石リングに引きつけられており、流出パイプを通る空気または水の通過と共に、吸入パイプから蒸気の通過をブロックする。空気または水のサックは直ちに空気または水でいっぱいに充填され、蒸気サックを圧縮するため膨張され、蒸気パイプサークルの中に蒸気を押し出す。
【００２０】
空気または水のサックは継続的に電源を入れたり切ったりすることにより、膨張および圧縮される。空気または水のサークル内部の空気または水は、強制的に循環される。こうして加勢された空気または水のエネルギーは、開放出口１２を通って解放される前に他のタービンを回転させる。
【００２１】
電磁石リングの電源は両方とも、蒸気循環サークル内部で一方向に蒸気を継続的に前方に押し出すため、継続的にスイッチを入れたり切ったりする。
【００２２】
蒸気タービンを通り、その後蒸気サークルに戻る蒸気の流出方向はまた、循環の方向と同じである。
【００２３】
空気または水のパイプサークル、蒸気促進器、およびボイラーの蒸気パイプサークルは、パイプサークルそれぞれが列の両端のどちらかのサークルを除いて、二つの蒸気促進器を両側に有するように一列に配置されることが可能である。蒸気促進器の吸入および流出の方向は、列の中で一つおきに反転される。
【００２４】
空気、水、液体、蒸気、あるいはガス供給または出力を強化するため、蒸気促進器を、他の電磁石リング一式および金属球を他の斜め方向位置に追加することにより、図３の出力強化器に変換することができる。
【００２５】
１組のリングのための電力が入れられると同時に他の組の電力は切られ、逆もまた同様である。同種または別の自然な出力源を含む二つのサックは、パイプサークルに含有される空気、蒸気、水、液体、あるいはガスを交互に互いに圧縮および押し出しする。
【００２６】
強化された出力はその後、解放される前に解放パイプを通って回転タービンへ送られる。
【００２７】
余剰出力はその強さが弱くなりすぎない限り、出力強化器の他のパイプサークルに直接入ることにより再利用されることが可能である。
【００２８】
出力強化器およびパイプサークルは次々に接続されることが可能である。パイプサークルに隣接して出力強化器がある。そして出力強化器に隣接してパイプサークルがある、と続く。パイプサークルそれぞれは、両側に二つの出力強化器が接続され、パイプサークル内で循環する一方向に含有される同種の自然出力を押し出す。
【００２９】
出力強化器の吸入および流出の方向は、各パイプサークル内部の一方向の循環が可能になるよう、一つおきに反転されなければならない。
【００３０】
ボイラーのある蒸気促進器および出力強化器は、全体の出力レベルを強化するため、複数の出力源を使用する装置の中に組み込まれることが可能である。
【符号の説明】
【００３１】
１  ゴムホース
２  電磁石リング
３  スプリング付き金属球
４  蒸気サック
５  蒸気パイプサークル
６  蒸気吸入
７  蒸気流出
８  空気または水のサック
９  空気または水のエネルギー
１０  空気または水吸入
１１  空気または水流出
１２  空気または水開放出口
１３  蒸気促進器の容器
１４  蒸気パイプ
１５  水パイプ
１６  加熱要素
１７  下部容器
１８  上部容器
１９  蒸気出口または受入口
【図１】
2010515873.tif 000003
【図２】
2010515873.tif 000004
【図３】
2010515873.tif 000005
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
循環スパイラルパイプボイラーであって、
１．該ボイラーは、上部と下部にそれぞれ設けられる容器（１７）（１８）と、上方に向かって螺旋状をなす循環するパイプ（１５）と、加熱要素（１６）とから構成され、
２．該加熱要素（１６）は、下部容器（１７）の底部に配設され、
３．連続する該パイプ（１５）は、該加熱要素（１６）上の下端にある環状部分と接続し、底部から該容器（１７）（１８）の内周面に沿って上部容器（１８）まで螺旋状に上方に向かって配設され、該上部容器（１８）は太陽光を反射するよう磨かれたボウル形を成しており、
４．該パイプ（１５）上部は、上部容器（１８）の状態に設けられた上端の蒸気パイプサークル（５）で終端する配管がされ、
５．螺旋状の該パイプ（１５）は、上端の蒸気パイプサークル（５）と上部部分に蒸気だけの部分を残して、残りの部分は水で満たされ、
６．蒸気又はパイプ（１５）の温度が沸点まで低下した場合には底部の該加熱要素（１６）が作動される一方、所定の上限温度となると停止されて、蒸気が沸点以上となるように調整され、
７．上端の蒸気パイプサークル（５）には蒸気の出口及び受入口（１９）が設けられ、
８．該蒸気の出口（１９）から接続パイプを通して蒸気が誘導されて蒸気タービンブレードを回転するようにした
ことを特徴とする循環スパイラルパイプボイラー。
【請求項２】
蒸気促進器（１３）であって、
１．該蒸気促進器（１３）は、蒸気パイプサークル（５）において蒸気が循環を保つために、蒸気の入った蒸気パイプサークル（５）と、勢いのある余剰の空気又は水が入ったパイプサークル（９）との間に配設され、
２．２つのサック（４）（８）を備えて、各サック（４）（８）は吸入口と流出口の２つの端部（６）（７）（１０）（１１）を備え、該サック（４）（８）は内層と外層をゴムで被覆されたシルク製又は他の素材で形成することができ、
３．一方のサック（４）は蒸気パイプサークル（５）からの吸入パイプ（６）と、蒸気パイプサークル（５）への流出パイプ（７）とを介して蒸気パイプサークル（５）と接続され、
４．該吸入パイプ（６）にはゴムのホース部分（１）を設け、該ホース部分（１）の内側に電磁石リング（２）が密着固定され、該電磁石リング（２）の反対側には、該ホースの内周上に設けたスプリングに固定された金属球（３）を備え、
５．他方のサック（８）は、蒸気パイプサークル（５）からの吸入パイプ（１０）、および蒸気パイプサークル（５）への流出パイプ（７）によって、勢いのある余剰の空気または水が入ったパイプサークル（９）に接続され、
６．該流出パイプ（１１）にはゴムのホース部分（１）を設け、該ホース部分（１）の内側にも電磁石リング（２）が密着固定され、該電磁石リング（２）の反対側には、該ホースの内周上に設けたスプリングに固定された金属球（３）を備え、
７．該サック（４）（８）それぞれの寸法は、蒸気促進器を構成する容器（１３）の約四分の三であって、
８．両方の該電磁石リング（２）の電源が切られているとき、蒸気膨張圧は蒸気のサック（４）を充填し、および空気または水のサック（８）を圧縮する一方、
９．両方の該電磁石リング（２）の電源が入っているとき、該金属球（３）は両方とも該電磁石リング（２）に引きつけられており、該流出パイプ（１１）を通る空気または水の通路と共に、該吸入パイプ（６）からの蒸気の通路をブロックし、空気または水のサック（８）は直ちに空気または水でいっぱいに充填され、蒸気のサック（４）を圧縮するため膨張され、蒸気パイプサークル（５）の中に蒸気を押し出し、
１０．以上の構成において、蒸気パイプサークル（５）内部で一方向に蒸気を継続的に押し出すため、両方の電磁石リング（２）の電源を継続的に入り切りし、
１１．蒸気パイプサークル（５）に設けた蒸気の出口（１９）から接続パイプを通して蒸気が誘導されて蒸気タービンブレードを回転させ、その後、蒸気パイプサークル（５）に戻る蒸気が蒸気パイプサークル（５）内の循環の方向と同じであって、
１２．この系における空気または水も、継続的に電源を入れたり切ったりすることにより加勢され、こうして加勢された空気または水は解放される前、又は他の空気又は水のパイプサークルに向かう前のいずれかに解放出口（１２）を通って他の蒸気タービンブレードを回転させ、
１３．空気または水の該パイプサークル（９）、該蒸気促進器（１３）、および該ボイラーの蒸気パイプサークル（５）は、パイプサークル（５）（９）それぞれが列の両端のどちらかのサークルを除いて、二つの蒸気促進器（１３）を両側に有するように一列に配置可能であり、該蒸気促進器（１３）の吸入および流出の方向は、列の中で一つおきに反転する
ことを特徴とする複数配置された蒸気促進器（１３）。
【請求項３】
出力強化器（１３’）であって、
１．他の電磁石リング（２）および金属球（３）を流出パイプ（７）及び吸入パイプ（１０）に追加することによって請求項２に記載の蒸気促進器（１３）を出力強化器（１３’）に転換したものであって、
２．吸入パイプ（６）及び流出パイプ（１１）に設ける電磁石リングの組と、流出パイプ（７）及び吸入パイプ（１０）に設ける電磁石リングの組とにおいて、１組の電磁石リング（２）に電力が入れられると同時に他の組の電力は切られ、逆もまた同様であって、二つのサック（４）（８）は、各パイプサークル（５）（９）に含有される空気、水、液体、蒸気、あるいはガスを交互に互いに圧縮および押し出し、
３．加勢された出力はその後、解放される前に接続パイプを通って前記蒸気タービンブレードへ送られ、
４．余剰出力はその強さが弱くなりすぎない限り、付設する他の出力強化器（１３’）の他の各パイプサークル（５）（９）に直接入ることにより再利用可能であって、
５．出力強化器（１３’）および各パイプサークル（５）（９）は次々に接続されることが可能であって、パイプサークル（５）（９）に隣接して出力強化器（１３’）を、出力強化器（１３’）に隣接してパイプサークル（５）（９）を、と続き、
６．パイプサークル（５）（９）それぞれは、両側で二つの出力強化器（１３’）に接続され、パイプサークル（５）（９）に含まれる同種の出力が一方向に押し出され、
７．出力強化器（１３’）の吸入および流出の方向は、各パイプサークル（５）（９）内部の一方向の循環が可能になるよう、一つおきに反転される
ことを特徴とする出力強化器（１３’）。
【手続補正２】
【補正対象書類名】図面
【補正対象項目名】図３
【補正方法】変更
【補正の内容】
【図３】
2010515873.tif 000006
【国際調査報告】
2010515873.tif 000007
2010515873.tif 000008
2010515873.tif 000009